(57)【要約】【課題】傾斜した越流壁処理槽を運転を停止することなく改修する工法を提供することにある。【解決手段】傾斜した越流壁処理槽において、越流壁を仮想線で区画し、該区画部の越流負荷に基いて、該区画した越流壁の上部に、各区画からの流量が平均の越流負荷になるように調整した、水量調整口を有する水量調整部材を設けることを特徴とする、越流型処理槽の改修工法。【選択図】図７
2020044469.tif 000002
【特許請求の範囲】
【請求項１】
傾斜した越流型処理槽において、越流壁を仮想線で区画し、該区画部の越流負荷に基いて、該区画した越流壁の上部に、各区画からの流量が平均の越流負荷になるように調整した水量調整口を有する水量調整部材を設けることを特徴とする、越流型処理槽の改修工法。
【発明の詳細な説明】
【技術分野】
【０００１】
本発明は、円形型クラリファイヤ、円形型シックナー、横流沈殿池等の越流型処理槽の改修工法に関する。
【背景技術】
【０００２】
従来、種々のタイプの越流型処理槽が知られている。これらの処理槽は、小型のものから大型のもの迄種々の規模のものが存在する。例えば大型の装置としては、直径８０〜１００ｍ程度のクラリファイヤ、シックナーがある。これらの装置は、建設時には、水平が保持されているので、越流壁から均等に処理水が流出するが、年月が経過すると地盤沈下等により処理槽が傾斜するようになる。
この傾斜が僅かであっても水流は低い方の越流壁に向かって流れてしまうので目的とする清澄化処理ができなかった。従来これらの処理槽を修繕するためには処理槽の運転を止めて改修を行う必要があり、そのためには製造ラインの一部を止めなくてはならなかった。
【発明の概要】
【発明が解決しようとする課題】
【０００３】
本発明者は、これらの処理槽の運転を止めずに処理槽の改修を行う方法について種々研究を重ねた結果本発明を完成するに至った。
【課題を解決するための手段】
【０００４】
すなわち、本発明は、傾斜した越流型処理槽において、越流壁を仮想線で区画し、該区画部の越流負荷に基いて、該区画した越流壁の上部に、各区画からの流量が平均の越流負荷になるように調整した水量調整口を有する水量調整部材を設けてなる、越流型処理槽の改修工法である。
【発明の効果】
【０００５】
本発明の改修工法によれば、越流型処理槽の運転を止めることなく、かつ簡単な方法で改修が可能なため製造ラインも止める必要がないので生産性も向上する。
【図面の簡単な説明】
【０００６】
【図１】円形越流型シックナーの概略平面図。
【図２】越流壁の一部を示す平面図。
【図３】支持具の側面図。
【図４】水量調整部材の側面図。
【図５】支持具の正面図。
【図６】凹型水量調整口を有する水量調整部材の側面図。
【図７】越流壁に水量調整部材を装着した状態を示す側面図。
【図８】三角型水量調整口を有する水量調整部材の側面図。
【図９】越流壁に三角型水量調整口を有する水量調整部材を装着した状態を示す側面図。
【図１０】他の三角型水量調整口を有する水量調整部材の側面図。
【図１１】越流壁に三角型水量調整口を有する水量調整部材を装着した状態を示す側面図。
【発明を実施するための形態】
【０００７】
本発明を図１に示す円形越流型シックナーの場合を例にとり説明する。
図1の円形越流型シックナー１は、中心部に設けられた整流筒２から汚濁水が越流し、周辺の越流壁３に向けて均等に流れて行く。円形越流型シックナーが水平に設置されている場合は３６０°の越流壁３から等量の清澄水が流出するが、円形越流型シックナーが傾斜すると、清澄水が傾斜した側に流れてしまい、所望する清澄効果が得られない状況が生起していた。
【０００８】
そこで本発明者は図2に示すように越流壁３を適宜の間隔で仮想線４によって区画し、該区画部５の水流量を測定する。水流量の測定方法としては、例えば仮想線４に区画板を設け、区画部５を流れる清澄水をタンクに導いて一定時間にたまる量から流出量を計量することができる。
【０００９】
各区画部５からの流量が平均的な、好ましくは均等な越流負荷（越流壁１ｍ当り、１日に流出する清澄水量（ｍ３）をいう。）となるようにするためには、整流筒２からの流入量を越流壁の長さで除することによって越流壁１ｍ当りの流量を算出し、平均流出量を求めることができる。
【００１０】
まず越流壁３の仮想線を設けた部位に、水量調整部材６を支持するための支持具７を越流壁３に設ける。
支持具７は、例えば図３に示すように水量調整部材６の挟持部８と越流壁３に嵌合する越流壁支持部９からなっている。水量調整部材６は例えば図４に示すように凹状に切欠いた水量調整口１０の場合、切欠部の幅Ｗおよび高さＨは、平均的な越流負荷になるよう適宜調整することによって行うことができる。
【００１１】
水量調整口１０の形状は、凹型の他、三角状に切欠いた形状あるいは、水量調整部材６に複数の穴を穿ったもの等の種々の形状とすることができる。
そして凹型の水量調整口１０の場合の水量は、下記式１によって算出することができる（図６参照）。
【式１】
【００１２】
Ｑ＝107.1＋0.177／ｈ＋14.2  ｈ／Ｄ−25.7√（Ｂ-ｂ）ｈ／ＢＤ＋2.04√Ｂ／Ｄ
Ｑ：水量（ｍ3／min）
ｂ：切欠幅（ｍ）
ｈ：せきの水頭（ｍ）
Ｂ：水量調整部材の幅（ｍ）
Ｄ：水量調整部材底面より切欠点までの高さ（ｍ）
【００１３】
また挟持部８も板状とすることによって、隣接する水量調整部材６と容易に連接して装着することができる。
【００１４】
図７は、越流壁３に水量調整部材６を装着した状態の一部を示した側面図であり、仮想線４の部位に支持具７を固定し、該支持具７の挟持部８の一部に差し込み、隣接する水量調整部材６の一端を該挟持部８の残余の部分に差し込み、他端を隣接する支持具７の挟持部８に差し込み、この操作を順次繰り返し行うことによって越流壁３全体に水量調整部材６を設置することができる。
【００１５】
また、水量調整部材６の他の設置手段としては、レンガ、ブロック等を用い越流壁３に積み上げて、かつ所望の水量調整口１０を設けるようにして設置することもできる。
【００１６】
また三角型の水量調整口１１の場合の水量は、下記式２によって算出することができる（図８参照）。
【式２】
【００１７】
Ｑ＝tan(θ/2){ 81.2＋0.24/ｈ＋(8.4＋12/√Ｄ)(ｈ/Ｂ−0.09)２}
Ｑ：水量（ｍ3／min）
θ：切欠角度（°）
ｈ：せきの水頭（ｍ）
Ｂ：水量調整部材の幅（ｍ）
Ｄ：水量調整部材底面より切欠点までの高さ（ｍ）
【００１８】
図９は、越流壁３に三角型水量調整部材１４を装着した状態の一部を示した側面図であり、仮想線４の部位に支持具７を固定し、該支持具７の挟持部８の一部に差し込み、隣接する水量調整部材１４の一端を該挟持部８の残余の部分に差し込み、他端を隣接する支持具７の挟持部８に差し込み、この操作を順次繰り返し行うことによって越流壁３全体に水量調整部材１６を設置することができる。
【００１９】
図１０は、組立型三角型水量調整口を有する水量調整部材１５の側面図であり、挟持部８の中央部にボルト１３を設け、該ボルト１３に矩形型水量調整部材１２をＶ字状に組合せて固定する。該水量調整部材１２は該ボルトを中心に回転する構造である。
図１１は、越流壁３に図１０に示した組立型三角型水量調整口を有する水量調整部材１５を装着した状態の一部を示した側面図である。
【００２０】
隣接する組立型三角型水量調整口１５を有する水量調整部材１５の間隔を近づけると堰の水頭が浅くなり、水量を少なく出来る。
また隣接する組立型三角型水量調整口１５を有する水量調整部材１５の間隔を遠ざけると堰の水頭が深くなり、水量を多く出来る。
更にボルト１３を緩め、水量調整部材１２の角度を変えることで、切欠角度を調節し、水量を変えることができる。
【符号の説明】
【００２１】
３・・・越流壁
４・・・仮想線
６・・・水量調整部材
１０・・・水量調整口
【図１】
2020044469.tif 000003
【図２】
2020044469.tif 000004
【図３】
2020044469.tif 000005
【図４】
2020044469.tif 000006
【図５】
2020044469.tif 000007
【図６】
2020044469.tif 000008
【図７】
2020044469.tif 000009
【図８】
2020044469.tif 000010
【図９】
2020044469.tif 000011
【図１０】
2020044469.tif 000012
【図１１】
2020044469.tif 000013